(57)【要約】  【課題】  複数の端末集中スプライス部を一括して保護でき、かつ、幹線に沿わせて省スペース化できる保護材を提供する。  【解決手段】  自動車に配索するワイヤハーネスＷ／Ｈの幹線Ｗ／Ｈ１から複数の支線Ｗ／Ｈ２が分岐し、これら各支線Ｗ／Ｈ２を構成する複数の電線端末の芯線が溶接された端末集中スプライス部２０を備えており、これら各支線Ｗ／Ｈ２の端末集中スプライス部２０を一括して保護する保護材１０であって、１つの端末集中スプライス部２０に被せるキャップを複数個設けて、これらキャップを帯状支持材１１の片面あるいは両面に間隔をあけて並列に設け、上記キャップの有頭筒部１２の開口端よりテープ巻き舌片１３を突出させ、各キャップに夫々端末集中スプライス部２０を挿入してテープ巻き舌片１３と電線とをテープ巻きした状態で、帯状支持材１１を幹線Ｗ／Ｈ１の外周に巻き付けて取り付けている。  【選択図】図１
2005166506.tif 000002
【特許請求の範囲】
【請求項１】
自動車に配索するワイヤハーネスの幹線から複数の支線が分岐し、これら各支線を構成する複数の電線端末の芯線が溶接された端末集中スプライス部を備えており、これら各支線の端末集中スプライス部を一括して保護する保護材であって、
１つの端末集中スプライス部に被せるキャップを複数個設けて、これらキャップを帯状支持材の片面あるいは両面に間隔をあけて並列に設け、上記キャップの有頭筒部の開口端よりテープ巻き舌片を突出させ、
上記各キャップに夫々端末集中スプライス部を挿入して上記テープ巻き舌片と電線とをテープ巻きした状態で、上記帯状支持材を上記幹線の外周に巻き付けて取り付け、あるいは上記幹線の外周の一部に重ねて取り付ける構成としていることを特徴とする端末集中スプライス部の保護材。
【請求項２】
上記各キャップは、その外周面の一部を可撓性を有する上記帯状支持材に固着させて突設した状態で連続材として一体成形され、必要個数のキャップを備えた状態で上記帯状支持材を切断して用いられる請求項１に記載の端末集中スプライス部の保護材。
【請求項３】
上記各キャップは別個に成形しておく一方、可撓性を有する上記帯状支持材には円弧状のキャップ保持アームを間隔をあけて並設しておき、各キャップ保持アーム内に上記キャップを押し込んで保持させる構成とし、該キャップ保持アームを並設した上記帯状支持材は連続材として成形され、必要個数のキャップ保持アームを備えた状態で上記帯状支持材を切断して用いられる請求項１に記載の端末集中スプライス部の保護材。
【請求項４】
上記帯状支持材は円弧形状に予め賦形されており、上記幹線の外周に押し広げて外嵌保持される構成としている請求項１に記載の端末集中スプライス部の保護材。
【発明の詳細な説明】
【技術分野】
【０００１】
本発明は、端末集中スプライス部の保護材に関し、詳しくは、複数の電線端末の芯線が溶接された端末集中スプライス部を収容して該スプライス部を絶縁保護するものである。
【背景技術】
【０００２】
従来、自動車に配索するワイヤハーネスの複数の電線端末を溶接により接続して形成した端末集中スプライス部を絶縁保護するものとして、本出願人は先に、特開平８−１４８２０１号において、図１０に示すスプライス部用収納ケース１を提供している。該スプライス部用収納ケース１は複数の収納ポケット２を備え、該収納ポケット２に幹線４から引き出した電線５端末の芯線を溶接して形成したスプライス部６を夫々個別に収納した後、挿入した電線５間に側方からストッパーピン３を通して収納したスプライス部６が抜けるのを防止している。
【０００３】
しかしながら、上記スプライス部用収納ケース１は剛性を有する樹脂により成形されているため、ケースの形状を変形することができない。よって、収納ケース１にスプライス部６を収納した状態で幹線４の近傍に配置する際、大きなスペースが必要となる問題がある。また、幹線４に剛性樹脂製の収納ケース１が干渉して、幹線４を損傷させるおそれもある。
【特許文献１】特開平８−１４８２０１号公報
【発明の開示】
【発明が解決しようとする課題】
【０００４】
本発明は上記問題に鑑みてなされたものであり、複数の端末集中スプライス部を一括して保護でき、かつ、幹線に沿わせて省スペース化できる保護材を提供することを課題としている。
【課題を解決するための手段】
【０００５】
上記課題を解決するため、本発明は、自動車に配索するワイヤハーネスの幹線から複数の支線が分岐し、これら各支線を構成する複数の電線端末の芯線が溶接された端末集中スプライス部を備えており、これら各支線の端末集中スプライス部を一括して保護する保護材であって、
１つの端末集中スプライス部に被せるキャップを複数個設けて、これらキャップを帯状支持材の片面あるいは両面に間隔をあけて並列に設け、上記キャップの有頭筒部の開口端よりテープ巻き舌片を突出させ、
上記各キャップに夫々端末集中スプライス部を挿入して上記テープ巻き舌片と電線とをテープ巻きした状態で、上記帯状支持材を上記幹線の外周に巻き付けて取り付け、あるいは上記幹線の外周の一部に重ねて取り付ける構成としていることを特徴とする端末集中スプライス部の保護材を提供している。
【０００６】
上記構成とすると、１つの端末集中スプライス部に被せて保護するキャップが帯状支持材により一体となっているため、キャップにそれぞれ端末集中スプライス部を収納すると、複数の端末集中スプライス部を一括して保護することができる。
また、複数のキャップを取り付けた帯状支持材を幹線の外周に巻き付けて取り付けたり、幹線の外周の一部に重ねて取り付けたりすることで、幹線配索時の空きスペースに応じた配置をすることができ、省スペース化を図ることができる。
【０００７】
上記各キャップは、その外周面の一部を可撓性を有する上記帯状支持材に固着させて突設した状態で連続材として一体成形され、必要個数のキャップを備えた状態で上記帯状支持材を切断して用いられることが好ましい。
上記構成とすると、端末集中スプライス部の個数に応じた個数のキャップを備えた保護材を設ける必要がなく、汎用性を高めることができる。
【０００８】
上記各キャップは別個に成形しておく一方、可撓性を有する上記帯状支持材には円弧状のキャップ保持アームを間隔をあけて並設しておき、各キャップ保持アーム内に上記キャップを押し込んで保持させる構成とし、該キャップ保持アームを並設した上記帯状支持材は連続材として成形され、必要個数のキャップ保持アームを備えた状態で上記帯状支持材を切断して用いてもよい。
上記構成とすると、端末集中スプライス部の個数に応じた個数のキャップ保持アームを備えた保護材を設ける必要がなく、汎用性を高めることができる。また、キャップ保持アームには、端末集中スプライス部の大きさに合わせたキャップを取り付けることができるため、さらに汎用性を高めることができる。さらに、端末集中スプライス部に個別にキャップを被せた後、該キャップをキャップ保持アームに嵌め込むことができるため、キャップを支線端末に容易に取り付けることができる。
【０００９】
上記帯状支持材は円弧形状に予め賦形されており、上記幹線の外周に押し広げて外嵌保持される構成としてもよい。
上記構成とすると、帯状支持材を幹線の外周に外嵌保持することができるため、帯状支持材を幹線に容易に取り付けることができ、テープ巻き等による固定を不要とすることができる。
【発明の効果】
【００１０】
以上の説明より明らかなように、本発明によれば、１つの端末集中スプライス部に被せて保護するキャップが帯状支持材により一体となっているため、帯状支持材に取り付けられたキャップにそれぞれ端末集中スプライス部を収納すると、複数の端末集中スプライス部を一括して保護することができる。
また、複数のキャップを取り付けた帯状支持材を幹線の外周に巻き付けて取り付けたり、幹線の外周の一部に重ねて取り付けたりすることで、幹線配索時の空きスペースに応じた配置をすることができ、省スペース化を図ることができる。
【００１１】
また、帯状支持材を連続材として一体成形し、必要個数のキャップを備えた状態で帯状支持材を切断して用いると、端末集中スプライス部の個数に応じた個数のキャップを備えた保護材を設ける必要がなく、汎用性を高めることができる。
【００１２】
さらに、各キャップは別個に成形しておく一方、可撓性を有する帯状支持材には円弧状のキャップ保持アームを間隔をあけて並設しておき、各キャップ保持アーム内にキャップを押し込んで保持させる構成とすると、キャップ保持アームに端末集中スプライス部の大きさに合わせたキャップを取り付けることができ汎用性を高めることができ、端末集中スプライス部にキャップを被せる作業を容易にすることができる。
【００１３】
さらにまた、上記帯状支持材は円弧形状に予め賦形されており、上記幹線の外周に押し広げて外嵌保持される構成とすると、帯状支持材を幹線の外周に外嵌保持して容易に取り付けることができ、テープ巻き等による固定を不要とすることができる。
【発明を実施するための最良の形態】
【００１４】
本発明の実施形態を図面を参照して説明する。
図１乃至図５は、本発明の第１実施形態を示す。
【００１５】
図１に示すように、端末集中スプライス部の保護材１０（以下、「保護材１０」と略称する）は、可撓性を有する帯状支持材１１の上面１１ａに端末集中スプライス部のキャップとなる有頭筒部１２を４つ設けている。該有頭筒部１２は、その外周面の一部を帯状支持材１１に固着して、帯状支持材１１の上面１１ａに沿わせて配置されている。一方、帯状支持材１１の下面１１ｂには有頭筒部１２を設けず平面としている。また、有頭筒部１２は一端を開口とし、該開口側の帯状支持材１１よりテープ巻き舌片１３を突出させている。該テープ巻き舌片１３は、並列配置した有頭筒部の一端から他端に亙って設けており全体で１つの舌片としている。
【００１６】
保護材１０は、図２に示すように、キャップ１４を所定間隔で複数設けた連続材１００を所要箇所で切断しており、本実施形態では、４個のキャップ１４を備えた状態で図中の破線位置で切断している。
【００１７】
上記保護材１０を取り付けるワイヤハーネスＷ／Ｈは、図３に示すように、テープＴ１を巻き付けた幹線Ｗ／Ｈ１から４本の支線Ｗ／Ｈ２を分岐させている。該支線Ｗ／Ｈ２は各支線Ｗ／Ｈ２を構成する複数の電線ｗの端末の芯線が溶接された端末集中スプライス部２０を備えている。
【００１８】
次に、保護材１０のワイヤハーネスＷ／Ｈへの取付方法について説明する。
先ず、図４（Ａ）に示すように、保護材１０の有頭筒部１２に開口から支線Ｗ／Ｈ２の端末の端末集中スプライス部２０をそれぞれ挿入し、図４（Ｂ）に示すように、テープ巻き舌片１３に４本の支線Ｗ／Ｈ２を一括してテープＴ２によりテープ巻き固定し、すべての支線Ｗ／Ｈ２の端末集中スプライス部２０に保護材１０の有頭筒部１２を被せた状態で、支線Ｗ／Ｈ２の端末に保護材１０を取り付けている。
【００１９】
次いで、図５に示すように、保護材１０の帯状支持材１１の下面１１ａを幹線Ｗ／Ｈ１の外周に沿わせて巻き付け、この状態で、幹線Ｗ／Ｈ１、支線Ｗ／Ｈ２及び保護材１０にテープＴ３を巻き付けて、保護材１０を幹線Ｗ／Ｈ１の外周の一部に重ねて取り付けている。
【００２０】
上記構成とすると、１つの端末集中スプライス部２０に被せて保護するキャップが帯状支持材１１と一体成形されて一体となっているため、帯状支持材１１に取り付けられたキャップにそれぞれ端末集中スプライス部２０を収納すると、複数の端末集中スプライス部２０を一括して保護することができる。
また、可撓性を有する保護材１０を幹線Ｗ／Ｈ１の外周に巻き付けて取り付けることで、幹線配索時の空きスペースに応じた配置をすることができ、省スペース化を図ることができる。
さらに、保護材１０を連続材１００として一体成形し、必要個数のキャップを備えた状態で帯状支持材１１を切断して用いているため、端末集中スプライス部２０の個数に応じた個数のキャップを備えた保護材１０を設ける必要がなく、汎用性を高めることができる。
なお、テープ巻き舌片は図６に示す変形例のように、キャップに対応させて個別に設けてもよい。
【００２１】
図７及び図８は、本発明の第２実施形態を示し、本実施形態の保護材１０’は、帯状支持材１１’とキャップ１４’を別体としている。可撓性を有する帯状支持材１１’は、両面から円弧状のキャップ保持アーム１５を突出させている。該キャップ保持アーム１５は先端を連結させずに開いてキャップ挿入口１５ａとしている。本実施形態では、帯状支持材１１に取り付けるキャップ１４’の長さ方向に２つのキャップ保持アーム１５を並設し、かつ、キャップ１４’の並列方向にそれぞれ２つのキャップ保持アーム１５を突出させている。よって、保護材１０’は１つのキャップ１４’を２つのキャップ保持アーム１５で保持し、片面に夫々２個で計４個のキャップ１４’を保持できる構成としている。また、保護材１０’は、上記第１実施形態と同様、キャップ保持アーム１５を複数並設した連続材を所要箇所で切断して用いている。
【００２２】
電線端末の端末集中スプライス部２０’に被せるキャップ１４’は、有頭筒部１２’と該有頭筒部１２’の開口端より突出させたテープ巻き舌片１３’とからなる。
【００２３】
次に、保護材１０’のワイヤハーネスＷ／Ｈへの取付方法について説明する。
先ず、キャップ１４’の有頭筒部１２’の開口から支線端末の端末集中スプライス部２０を挿入し、テープ巻き舌片１３’と電線とにテープを巻き付けて、各支線の端末にキャップ１４’を取り付ける。
次いで、支線端末に取り付けたキャップ１４’を夫々帯状支持材１１’のキャップ保持アーム１５内に先端のキャップ挿入口１５ａから押し込んで保持する。
最後に、図８に示すように、支線の端末に取り付けた保護材１０’を幹線Ｗ／Ｈ１の外周の一部に重ねて、幹線Ｗ／Ｈ１、支線及び保護材１０’にテープＴ３を巻き付けて、保護材１０’を幹線Ｗ／Ｈ１の外周に重ねて取り付けている。
【００２４】
上記構成とすると、１つの端末集中スプライス部２０に被せた保護するキャップ１４’がそれぞれキャップ保持アーム１５により帯状支持材１１’に保持されて一体となっているため、複数の端末集中スプライス部２０を一括して保護することができる。
また、保護材１０’を幹線Ｗ／Ｈ１の外周の一部に重ねて取り付けることで、幹線配索時の空きスペースに応じた配置をすることができ、省スペース化を図ることができる。
さらに、端末集中スプライス部２０に個別にキャップ１４’を被せた後、該キャップ１４’をキャップ保持アーム１５に嵌め込むことができるため、キャップ１４’を容易に支線端末に取り付けることができる。
【００２５】
なお、キャップ保持アームには、異なる大きさのキャップを取り付けることができるため、キャップの大きさはすべて同一とせず端末集中スプライス部に合わせた異なる大きさのキャップとしてもよい。
また、テープ巻き舌片をキャップに設けず、帯状支持材に一体的に設け、端末集中スプライス部を備えた複数の支線に一括して巻き付ける構成としてもよい。
なお、他の構成及び作用効果は第１実施形態と同様のため、同一の符号を付して説明を省略する。
【００２６】
図９は、本発明の第３実施形態を示し、本実施形態の保護材１０”は、帯状支持材１１”を円弧形状に予め賦形している点で第１実施形態の保護材１０と相違し、他の構造は同様としている。円弧形状の帯状支持材１１”は幹線Ｗ／Ｈ１の径よりも小径とし、有頭筒部１２”は円弧形状の帯状支持材１１”の外周側に設けている。
【００２７】
上記保護材１０”を上記第１実施形態と同様の方法により支線端末に取り付けた状態で、図９（Ｂ）に示すように、帯状支持材１１”を幹線Ｗ／Ｈ１の外周に押し広げて外嵌保持している。
【００２８】
上記構成とすると、第１実施形態と同様の効果を得ることができると共に、円弧形状の帯状支持材１１”が幹線Ｗ／Ｈ１に外嵌保持されるため、保護材１０”をテープ巻き固定することなくワイヤハーネスの幹線Ｗ／Ｈ１に固定することができる。
なお、他の構成及び作用効果は第１実施形態と同様のため、同一の符号を付して説明を省略する。
【図面の簡単な説明】
【００２９】
【図１】本発明の第１実施形態の端末集中スプライス部の保護材の斜視図である。
【図２】上記保護材を切断する前の連続材の平面図である。
【図３】ワイヤハーネスの幹線から支線が分岐する状態を示す図面である。
【図４】（Ａ）（Ｂ）は、上記保護材の支線への取付方法を示す図面である。
【図５】（Ａ）は幹線に保護材を取り付けた状態を示す図面、（Ｂ）はＩ−Ｉ線断面図である。
【図６】第１実施形態の変形例の端末集中スプライス部の保護材の斜視図である。
【図７】第２実施形態の保護材の斜視図である。
【図８】幹線に第２実施形態の保護材を取り付けた状態を示す断面図である。
【図９】（Ａ）は第３実施形態の保護材の正面図、（Ｂ）は該保護材を幹線に取り付けた状態を示す断面図である。
【図１０】（Ａ）〜（Ｄ）は、従来例を示す図面である。
【符号の説明】
【００３０】
１０  端末集中スプライス部の保護材
１１  帯状支持材
１２  有頭筒部
１３  テープ巻き舌片
１４’  キャップ
１５  キャップ保持アーム
２０  端末集中スプライス部
Ｗ／Ｈ  ワイヤハーネス
Ｗ／Ｈ１  幹線
Ｗ／Ｈ２  支線
Ｔ１、Ｔ２、Ｔ３  テープ
【図１】
2005166506.tif 000003
【図２】
2005166506.tif 000004
【図３】
2005166506.tif 000005
【図４】
2005166506.tif 000006
【図５】
2005166506.tif 000007
【図６】
2005166506.tif 000008
【図７】
2005166506.tif 000009
【図８】
2005166506.tif 000010
【図９】
2005166506.tif 000011
【図１０】
2005166506.tif 000012